(57)【要約】  【課題】構成が簡単で、かつ設置も容易にでき、配筋作業も簡単にできると共に、コスト面でも有利な鉄筋コンクリート施工用のスペーサを提供すること。  【解決手段】側面視三角形状のスペーサ本体には、設置部と傾斜部となる２面を形成して、上記設置部と傾斜部に、鉄筋を支持する係止部をそれぞれ設けている。接地部と傾斜部とを上下逆転させることにより、上記接地部が傾斜部となり、傾斜部が接地部となるよう構成している。上記それぞれの係止部は、スペーサ本体を反転設置した場合に、コンクリート設置面からの距離がそれぞれ異なった位置となるように鉄筋を支持可能に形成している。【選択図】        図１
0003132634.tif 000002
【実用新案登録請求の範囲】
【請求項１】
鉄筋コンクリート施工用のスペーサであって、側面視三角形状のスペーサ本体には、設置部と傾斜部となる２面を形成して、上記設置部と傾斜部に、鉄筋を支持する係止部をそれぞれ設けていると共に、接地部と傾斜部とを上下逆転させることにより、上記接地部が傾斜部となり、傾斜部が接地部となるよう構成しており、上記それぞれの係止部は、スペーサ本体を反転設置した場合に、コンクリート設置面からの距離がそれぞれ異なった位置となるように鉄筋を支持可能に形成していることを特徴とする鉄筋コンクリート施工用のスペーサ。
【請求項２】
設置部と傾斜部となる２面を有する側面視三角形状を、側面視直角三角形となるよう構成している請求項１記載の鉄筋コンクリート施工用のスペーサ。
【請求項３】
鉄筋コンクリート施工用のスペーサであって、設置部、傾斜部及び立上部からなる３面を有する側面視三角形状のスペーサ本体を形成し、上記設置部と傾斜部、及び立上部に、鉄筋を支持する係止部をそれぞれ設けていると共に、接地部と傾斜部とを上下逆転させることにより、上記接地部が傾斜部となり、傾斜部が接地部となるよう構成しており、上記それぞれの係止部は、スペーサ本体を反転設置した場合に、コンクリート設置面からの距離がそれぞれ異なった位置となるように鉄筋を支持可能に形成しており、さらに立上部に形成した係止部も、設置部と傾斜部とを反転させた状態で、鉄筋を異なる高さに支持可能に構成していることを特徴とする鉄筋コンクリート施工用のスペーサ。
【考案の詳細な説明】
【技術分野】
【０００１】
この考案は、鉄筋コンクリート施工時にコンクリート内に適当な高さを維持して埋設される鉄筋を支持するための鉄筋コンクリート施工用のスペーサに関する。
【背景技術】
【０００２】
従来、鉄筋コンクリート施工用のスペーサとしては、種々のものが提供されている。このスペーサの例として、例えば、特許文献１（実公平６−１３２９２号公報）に鉄筋の高さ調整具が開示されている。この高さ調整具は、４本の支持柱間に４つの支持壁が交差して形成され、２つの支持壁同士の間に受持片がそれぞれ設けられており、これらの受持片の設置する位置を異ならせることにより、鉄筋の支持高さを調整することができるよう構成されたものである。また、この高さ調整具は、支持柱を上下方向につなぎ合わせることにより、支持柱の長手方向にも高さを調整することができるよう構成されている。
【０００３】
そして、この構成の高さ調整具では、各支持壁間に設けた受持片の位置を変更することにより、４種類の支持高さの調整が可能であると共に、支持柱同士を重ねることにより、支持柱方向にも高さ調整が可能になっている。
【特許文献１】実公平６−１３２９２号公報
【考案の開示】
【考案が解決しようとする課題】
【０００４】
しかしながら、上記高さ調整具を用いて、現場にて鉄筋を配設する場合、調整位置が多数あって複雑になりすぎた結果、複数設置した場合に鉄筋を支持する高さが不揃いになるという欠点があった。
また、この高さ調整具は、合成樹脂材料を用いて成形しているが、構成が複雑であるため製造コストが高価であり、コンクリート内に埋設するスペーサとして構成が簡単で安価なスペーサが求められていた。
【０００５】
さらに、上記高さ調整具では、鉄筋をいずれの高さの支持位置に設置させる場合にも、作業者が鉄筋を持ち上げて当該高さ調整具上に載置する作業が必要であるため、作業者の疲労が増大する原因ともなっていた。
そこで、この考案は、構成が簡単で、かつ設置も容易にでき、配筋作業も簡単にできると共に、コスト面でも有利な鉄筋コンクリート施工用のスペーサを提供することを目的としている。
【課題を解決するための手段】
【０００６】
上記目的を達成するため、この考案の鉄筋コンクリート施工用のスペーサは、側面視三角形状のスペーサ本体に、設置部と傾斜部となる２面を形成して、上記設置部と傾斜部に、鉄筋を支持する係止部をそれぞれ設けていると共に、接地部と傾斜部とを上下逆転させることにより、上記接地部が傾斜部となり、傾斜部が接地部となるよう構成しており、上記それぞれの係止部は、スペーサ本体を反転設置した場合に、コンクリート設置面からの距離がそれぞれ異なった位置となるように鉄筋を支持可能に形成していることを特徴としている。
【０００７】
この請求項１記載の考案によれば、鉄筋を配置する際、側面視三角形状に形成したスペーサ本体を、コンクリート上に仮配置した鉄筋に対して、当該スペーサの鋭角側を鉄筋の下に差し込んでいくだけで、鉄筋を傾斜部上に導くと共に、傾斜部上をスライドさせて係止部に係止させることができる。
したがって、鉄筋の配筋を簡単に、かつ作業性良く行うことができる。
【０００８】
また、この構成のスペーサは、構造が簡単であるため、製造コストも低減することができる。
そして、接地部と傾斜部とを上下逆転させて用いることにより、鉄筋の支持高さを簡単に変更することができる。
次に、この考案の請求項２記載の鉄筋コンクリート施工用のスペーサは、設置部と傾斜部となる２面を有する側面視三角形状のスペーサ本体を、側面視直角三角形となるよう構成していることを特徴としている。
【０００９】
この請求項２記載の鉄筋コンクリート施工用のスペーサでは、コンクリート上に載置した際、いずれの傾斜部を使用しているかが側面から見て一目瞭然なので、多数のスペーサを配置する場合、全てのスペーサを同じ形（向き）になるように配置するだけで、同一の高さに鉄筋を簡単に配筋することができる。
さらに、この考案の鉄筋コンクリート施工用のスペーサは、設置部、傾斜部及び立上部からなる３面を有する側面視三角形状のスペーサ本体を形成し、上記設置部と傾斜部、及び立上部に、鉄筋を支持する係止部をそれぞれ設けていると共に、接地部と傾斜部とを上下逆転させることにより、上記接地部が傾斜部となり、傾斜部が接地部となるよう構成しており、上記それぞれの係止部は、スペーサ本体を反転設置した場合に、コンクリート設置面からの距離がそれぞれ異なった位置となるように鉄筋を支持可能に形成しており、さらに立上部に形成した係止部も、設置部と傾斜部とを反転させた状態で、鉄筋を異なる高さに支持可能に構成していることを特徴としている。
【００１０】
この構成の鉄筋コンクリート施工用のスペーサによれば、設置部、傾斜部及び立上部の３面に鉄筋の係止部を設けているので、鉄筋の支持高さの設定をきめ細かく行うことができるようになり、１種類のスペーサで多数の設定が可能になって、供給するスペーサの種類を減らしてコスト的にも有利な商品を提供することができるようになる。
【考案を実施するための最良の形態】
【００１１】
以下では、この考案の実施の形態を、添付図面を参照して詳細に説明する。
図１は、この考案の実施形態としての鉄筋コンクリート施工用のスペーサの斜視図、図２は、図１の状態の側面図である。
この鉄筋コンクリート施工用のスペーサ１は、合成樹脂材料を成型にてスペーサ本体１０を形成したもので、平面視方形で、かつ側面視において直角三角形となるよう形成してあり、接地部１１と傾斜部１２、及び垂直部１３とを有するものである。
【００１２】
接地部１１及び傾斜部１２は、それぞれ打設されたコンクリート面に対して平面的に設置可能に形成している。したがって、当該スペーサ１をコンクリート上に設置した際、傾斜部１２を、コンクリート面に対して傾斜状に配置することができる。
設置部１１と傾斜部１２には、鉄筋を係止可能な係止部１５を形成している。係止部１５ａは、傾斜部１２において、傾斜方向に直交する方向の鉄筋を支えることができるよう、略Ｕ字状の凹部として形成している。また、設置部１１における係止部１５ｂは、上記傾斜部１２の係止部１５ａと同様に、設置部１１の長手方向に直交する方向の鉄筋を支持する凹部にて構成している。上記係止部１５ａ，ｂは、図３又は図４に示すように、凹部の入り口側より奥部を拡大させた形状としてもよく、このような形状を選択することにより、凹部の内方で鉄筋を確実に保持することができる。
【００１３】
そして、この実施の形態では、設置部１１と垂直部１３とは直角となるよう配置しており、スペーサ本体の形状として側面視では直角三角形に表れている。
なお、この実施の形態のスペーサ１は、平面視で、中空の角柱状に形成したものであり、中空にすることによって、中実とする場合に比べて、材料の必要量を格段に減少させることができると共に、角柱状に形成したことによって鉄筋を支えるための強度を保持することができる。
【００１４】
このスペーサ１の加工方法としては、合成樹脂材料を成形する方法の他、切断により形成することもでき、中空で角柱状の長手部材を形成した後、まず長手方向に直交する方向に切断し、次いで斜めに切断することにより当該スペーサ本体を形成し、さらに係止部を形成することで、スペーサ１を製造することもできる。
図５は設置部１１と傾斜部１２を反転させた状態を示すスペーサの斜視図、図６は、図５の状態の側面図を示しており、スペーサ１は、上記した設置部１１と傾斜部１２を上下反転させて、傾斜部１２を設置部１１’とし、上記設置部１１を傾斜部１２’とすることができる。
【００１５】
このよう反転設置したスペーサ１において、係止部１５は、反転させる前の状態における、コンクリート面から上記係止部１５ａまでの距離ｘ（図２参照）と、反転させた状態においてコンクリート面から当該係止部１５ｂまでの距離ｙ（図６参照）とを、異なる寸法に形成することができる。このため、設置するスペーサ１の向きを変えるだけで、コンクリート上に係止部１５の高さを調節することができ、鉄筋の高さを調整することができるものである。
【００１６】
そして、このスペーサ１を用いれば、コンクリート上に設置するスペーサ１を側面から確認するだけで、スペーサ１の設置方向、すなわち三角形の向きが一目瞭然に判るので、多数のスペーサ１をコンクリート上に設置する場合に、全てのスペーサ１を同じ向きに簡単に揃えることができ、このため鉄筋の高さを確実に揃えることができる。
次に、図７ないし図９には、この考案の他の実施の形態のスペーサを示しており、このスペーサ２は、上記した設置部１１と傾斜部１２を有し、更に立上部１８を有するスペーサ本体１７を構成し、上記立上部１８についても係止部１９ａ，ｂを形成した構成態様のもので、当該係止部１９ａ，ｂは、傾斜部１２の傾斜方向と同じ向きの鉄筋を支持することができる。
【００１７】
立上部１８は、図８に示すように、上下辺の中央寄りが低くなるように曲線状に形成しても良く、図９に示すように、上下辺を直線状に形成しても良い。上下辺を曲線状に形成した場合には、当該上下辺に鉄筋を載せるだけで中央に形成した係止部１９ａ，ｂへ容易に導くことができるものである。
また、このスペーサ２においても、設置部１１と傾斜部１２との上下を反転させて設置することにより、立上部１８における係止部１９ａ，ｂでの鉄筋の支持高さをそれぞれ異なる位置とすることができるものである。
【００１８】
この構成態様のスペーサ２は、設置部１１、傾斜部１２及び立上部１８の３面に鉄筋の係止部１５，１９を設けているので、鉄筋の支持高さの設定をきめ細かく行うことができるようになり、１種類のスペーサで多数の設定が可能になって、供給するスペーサの種類を減らしてコスト的にも有利な商品を提供することができるようになる。
この構成のスペーサ２においても、設置した向きを見るだけで、鉄筋の支持高さを簡単に把握することができる。
なお、上記したいずれの実施の形態においても、中空の角柱状のものを用いた例を示したが、中実のものを用いることもでき、さらには平面視角柱状の他、円柱状その他形状のものを適宜採用することができる。
【図面の簡単な説明】
【００１９】
【図１】この考案の実施形態としての鉄筋コンクリート施工用のスペーサの斜視図である。
【図２】図１のスペーサの側面図である。
【図３】上記スペーサの係止部の変更例を示す斜視である。
【図４】図３のスペーサの側面図である。
【図５】上記スペーサの設置部１１と傾斜部１２を反転させた状態を示すスペーサの斜視図である。
【図６】図５のスペーサの側面図である。
【図７】この考案の他の実施形態としての鉄筋コンクリート施工用のスペーサの斜視図である。
【図８】図７のスペーサの側面図である。
【図９】上記のスペーサの立上部の変更例を示す側面図である。
【符号の説明】
【００２０】
１，２          スペーサ
１０，１７      スペーサ本体
１１，１１’    設置部
１２，１２’    傾斜部
１５，１９      鉄筋の係止部
１８            立上部
【図１】
0003132634.tif 000003
【図２】
0003132634.tif 000004
【図３】
0003132634.tif 000005
【図４】
0003132634.tif 000006
【図５】
0003132634.tif 000007
【図６】
0003132634.tif 000008
【図７】
0003132634.tif 000009
【図８】
0003132634.tif 000010
【図９】
0003132634.tif 000011